(57)【要約】【課題】最適な副搬送波周波数を自動的に設定できる操作性に優れた赤外線伝送システムを提供する。【解決手段】送信機１と受信機２とを備え、送信機は、設定された副搬送波周波数の副搬送波を入力音声信号で変調して赤外線発光部１２に送る変換器１１と、受信機との間の通信を制御する通信部１３と、受信機から通信部経由で得られる受信状態情報に基づき最適な副搬送波周波数を選択して変換器に設定し、且つ通信部経由で受信機に送信する制御部１４を備え、受信機は、設定された副搬送波周波数の副搬送波で赤外線受光部２１の出力を検波する検波器２３と、検波出力を赤外線受光レベルとして検出する赤外線受光レベル検出器２６と、送信機との間の通信を制御する通信部２７と、検出された赤外線受光レベルを受信状態情報として通信部経由で送信機に送信し、且つ送信機から通信部経由で得られる副搬送波周波数を検波器に設定する制御部２８を備えている。【選択図】図１
2007194839.tif 000002
【特許請求の範囲】
【請求項１】
送信機と受信機とを備えた赤外線伝送システムにおいて、
前記送信機は、
設定された副搬送波周波数を有する副搬送波を発生し、該発生された副搬送波を、入力された音声信号により変調する変換器と、
前記変換器の出力に応じた赤外線を発光する赤外線発光部と、
前記受信機との間の通信を制御する送信側通信部と、
前記受信機から前記送信側通信部を介して送信されてくる受信状態情報に基づき前記変換器で使用する副搬送波周波数を選択して該変換器に設定するとともに、前記送信側通信部を介して前記受信機に送信する制御部
とを備え、
前記受信機は、
赤外線を受光する赤外線受光部と、
設定された副搬送波周波数を有する副搬送波で前記赤外線受光部の出力を検波して音声信号を再生する検波器と、
前記検波器から出力される音声信号のレベルを赤外線受光レベルとして検出する赤外線受光レベル検出器と、
前記送信機との間の通信を制御する受信側通信部と、
前記赤外線受光レベル検出器で検出された赤外線受光レベルを受信状態情報として前記受信側通信部を介して前記送信機に送信するとともに、前記送信機から前記受信側通信部を介して送信されてくる副搬送波周波数を前記検波器に設定する制御部
とを備えた赤外線伝送システム。
【請求項２】
送信機の制御部は、
トリガに応じて変換器の動作を制御する変調制御部と、
前記変調制御部からの制御信号により前記変換器における副搬送波の発生が停止された状態で、送信側通信部を介して受信機に受信状態取得要求を送信する受信状態取得要求部と、
前記受信状態取得要求に応答して前記受信機から前記送信側通信部を介して送信されてくる受信状態情報に含まれる複数の赤外線受光レベルのうちの最も低い赤外線受光レベルに対応する副搬送波周波数を選択する副搬送波周波数選択部と、
前記副搬送波周波数選択部で選択された副搬送波周波数を前記変換器に設定する副搬送波周波数設定部と、
前記副搬送波周波数選択部で選択された副搬送波周波数を含む副搬送波周波数設定要求を、前記送信側通信部を介して前記送信機に送信する副搬送波周波数設定要求部を備え、
前記変調制御部は、前記副搬送波周波数設定要求に応答して前記受信機から前記送信側通信部を介して送信されてくる設定完了通知を受け取った場合に前記変換器における副搬送波の発生を開始させ、
受信機の制御部は、
前記送信機から受信側通信部を介して送信されてくる受信状態取得要求に応答して、前記赤外線受光レベル検出器で検出された、異なる副搬送波周波数を有する複数の副搬送波に対応する複数の赤外線受光レベルを受信状態情報として前記受信側通信部を介して前記送信機に送信する受信状態送信制御部と、
前記受信状態送信制御部により送信された受信状態情報に応答して前記送信機から前記受信側通信部を介して送信されてくる副搬送波周波数設定要求に含まれる副搬送波周波数を検波器に設定する副搬送波周波数設定部と、
前記副搬送波周波数設定部による副搬送波周波数の設定が完了した後に、前記送信側通信部を介して前記送信機に設定完了通知を送信する設定完了通知部
とを備えた請求項１記載の赤外線伝送システム。
【請求項３】
送信機は、入力された音声信号のレベルを検出する音声レベル検出部を備え、
前記送信機の制御部は、
変調制御部からの制御信号により変換器において副搬送波が無音信号で変調されている状態で、受信状態取得要求部から送信側通信部を介して受信機に第２受信状態取得要求を送信し、該第２受信状態取得要求に応答して前記受信機から前記送信側通信部を介して送信されてくる受信状態情報を記憶する受信状態記憶部と、
前記変調制御部からの制御信号により前記変換器において副搬送波が入力された音声信号で変調されている状態で、前記音声レベル検出部で検出された音声信号のレベルが所定値以下である場合に、受信状態取得要求部から送信側通信部を介して受信機に第３受信状態取得要求を送信し、該３受信状態取得要求に応答して前記受信機から前記送信側通信部を介して送信されてくる受信状態情報に含まれる赤外線受光レベルが前記受信状態記憶部に記憶されている受信状態情報に含まれる赤外線受光レベルより所定値以上小さい場合にトリガを発生するトリガ発生部
とを備え
前記受信機の制御部に含まれる受信状態送信制御部は、
前記送信機から受信側通信部を介して送信されてくる第２受信状態取得要求に応答して、前記赤外線受光レベル検出器で検出された赤外線受光レベルを受信状態情報として前記受信側通信部を介して前記送信機に送信し、
前記送信機から受信側通信部を介して送信されてくる第３受信状態取得要求に応答して、前記赤外線受光レベル検出器で検出された赤外線受光レベルを受信状態情報として前記受信側通信部を介して前記送信機に送信する
ことを特徴とする請求項２記載の赤外線伝送システム。
【発明の詳細な説明】
【技術分野】
【０００１】
この発明は、赤外線伝送システムに関し、特に赤外線伝送における副搬送波周波数を自動的に設定する技術に関する。
【背景技術】
【０００２】
従来、赤外線伝送システムの１つとして、赤外線信号の送受信機能を備えた赤外線方式のヘッドホンシステムが知られている。このような赤外線方式のヘッドホンシステムでは、音声信号の伝送方法として周波数変調方式が採用されており、変調側（送信機側）と復調側（受信機側）とで同じ副搬送波周波数が設定されているときに限り、音声が正常に再生される。したがって、赤外線方式を採用する複数のシステムが同時に同じ副搬送波周波数で送受信を行っている場合には、信号が干渉し、正常な再生ができない。
【０００３】
そこで、１つの機器で複数の副搬送波周波数を設定できるようにしたマルチチャンネル方式の赤外線伝送システムが開発されている。このマルチチャンネル方式の赤外線伝送システムによれば、副搬送波周波数を異ならせることにより、複数の機器が同時に信号を伝送していても、互いに干渉することなく、信号の送受信を良好に行うことができる。
【０００４】
なお、赤外線伝送システムに関連する技術として、特許文献１は、赤外線送受信機能を備えたヘッドホン装置を開示している。このヘッドホン装置は、音声信号を変調し、赤外線を発光させて信号を送信する赤外線送信器と、この出力を赤外線受光素子により受信し、音声信号に復調する赤外線受信器とを具備し、復調された音声信号によりヘッドホンを駆動し、音声再生を行い、各々の受光素子の受光レベルを比較し、この結果に応じて赤外線受信器を搭載する機器の回転角度を算出し角度に応じて出力音声信号を変化させる信号処理手段とを備えている。この構成により、体の動きを検出する回転角度センサとして赤外線音声送受信信号をそのまま使用し、専用に新たな回転角度センサを追加することなく、回転角度累積誤差の少ない、安価な赤外線送受信機能を備えたヘッドホン装置を提供できる。
【０００５】
【特許文献１】特開平７−３２７３００号公報
【発明の開示】
【発明が解決しようとする課題】
【０００６】
上述した従来のマルチチャンネル対応のヘッドホンシステムにおいては、送信側と受信側の副搬送波周波数を手動で同じ値に設定する必要があり、副搬送波周波数の設定を間違えると、音声を聴くことができないという問題がある。また、他の機器が副搬送波周波数として同じ周波数を利用している場合は、その周波数による妨害を避けるために、手動で他の副搬送波周波数に変更する必要があるが、変更した副搬送波周波数が最適であるかどうかは、変更後に音声を聴くまで判らない。したがって、良好な音声を聴くためには副搬送波周波数の設定を複数回やり直す必要が生じるという問題がある。
【０００７】
さらに、ヘッドホンシステムを使用している途中で受信状況が悪化したときも、上記と同様に、手動によって副搬送波周波数の設定を変更する必要があるが、この場合も、副搬送波周波数の設定を間違えると音声を聴くことができないという問題および良好な音声を聴くためには副搬送波周波数の設定を複数回やり直す必要が生じるという問題がある。
【０００８】
この発明は、上述した問題を解決するためになされたものであり、その課題は、最適な副搬送波周波数を自動的に設定できる操作性に優れた赤外線伝送システムを提供することにある。
【課題を解決するための手段】
【０００９】
この発明に係る赤外線伝送システムは、送信機と受信機とを備えた赤外線伝送システムにおいて、送信機は、設定された副搬送波周波数を有する副搬送波を発生し、該発生された副搬送波を、入力された音声信号により変調する変換器と、変換器の出力に応じた赤外線を発光する赤外線発光部と、受信機との間の通信を制御する送信側通信部と、受信機から送信側通信部を介して送信されてくる受信状態情報に基づき変換器で使用する副搬送波周波数を選択して該変換器に設定するとともに、送信側通信部を介して受信機に送信する制御部とを備え、受信機は、赤外線を受光する赤外線受光部と、設定された副搬送波周波数を有する副搬送波で赤外線受光部の出力を検波して音声信号を再生する検波器と、検波器から出力される音声信号のレベルを赤外線受光レベルとして検出する赤外線受光レベル検出器と、送信機との間の通信を制御する受信側通信部と、赤外線受光レベル検出器で検出された赤外線受光レベルを受信状態情報として受信側通信部を介して送信機に送信するとともに、送信機から受信側通信部を介して送信されてくる副搬送波周波数を検波器に設定する制御部とを備えている。
【発明の効果】
【００１０】
この発明によれば、受信機が副搬送波周波数の受信状況を表す受信状態情報を送信機に送信し、送信機はこの受信状態情報に基づき最適な副搬送波周波数を自己の変調器に設定するとともに、受信機の検波器に設定するように構成したので、他の機器等による妨害が少ない最適な副搬送波周波数を自動で設定することができる。その結果、操作性に優れた赤外線伝送システムを提供できる。
【発明を実施するための最良の形態】
【００１１】
以下、この発明の実施の形態を、図面を参照しながら詳細に説明する。
実施の形態１．
図１は、この発明の実施の形態１に係る赤外線伝送システムの構成を示すブロック図である。なお、以下では、この赤外線伝送システムは、ヘッドホンシステムとして実現されているものとして説明する。この赤外線伝送システムで使用される音声信号のチャンネル数は、ステレオ４系統（モノラル８チャンネル）であるものとし、副搬送波の周波数帯域は、ＥＩＡＪ  ＣＰ−１２０５（赤外線空間伝送システムの副搬送波周波数割当）に基づき、２〜６ＭＨｚであるものとする。
【００１２】
このヘッドホンシステムは、送信機１（本体）と受信機２（ヘッドホン）とから構成されている。図１（ａ）は、送信機１の構成を示すブロック図である。送信機１は、ＲＦ（Radio Frequency）変換器１１、赤外線発光部１２、通信部１３およびマイクロプロセッサ１４から構成されている。
【００１３】
ＲＦ変換器１１は、入力された可聴帯域（２０Ｈｚ〜２０ｋＨｚ）の音声信号で、マイクロプロセッサ１４から送られてくる副搬送波周波数信号に応じた周波数で発生される副搬送波を周波数変調し、ＲＦ信号として赤外線発光部１２に送る。なお、ＲＦ変換器１１は、音声信号で副搬送波を位相変調するように構成することもできる。赤外線発光部１２は、ＲＦ変換器１１から送られてくるＲＦ信号に応じて強度変調された赤外線を発生する。この赤外線発光部１２で発生された赤外線は、受信機２に送信される。
【００１４】
通信部１３は、この発明の送信側通信部に対応し、データ送信部１３ａおよびデータ受信部１３ｂから構成されている。データ送信部１３ａは、マイクロプロセッサ１４から送られてくる送信信号に応じて強度変調された赤外線（以下、赤外線発光部１２で発生される赤外線と区別するために「サブ赤外線」と呼ぶ）を発生する。ここで、サブ赤外線としては、例えば赤外線発光部１２で発生される赤外線と周波数帯域が異なる赤外線または副搬送波周波数が異なる赤外線を用いることができる。このデータ送信部１３ａで発生された赤外線は、受信機２に送信される。
【００１５】
データ受信部１３ｂは、受信機２から送られてくるサブ赤外線を受信して電気信号に変換する。このデータ受信部１３ｂで変換することにより得られた信号は、受信信号としてマイクロプロセッサ１４に送られる。マイクロプロセッサ１４は、この発明の送信機の制御部に対応し、送信機１の全体を制御する。このマイクロプロセッサ１４の詳細は後述する。
【００１６】
図１（ｂ）は受信機２の構成を示すブロック図である。この受信機２は、赤外線受光部２１、ＲＦ増幅器２２、検波器２３、左チャンネル増幅器２４ａ、右チャンネル増幅器２４ｂ、左チャンネルスピーカ２５ａ、右チャンネルスピーカ２５ｂ、赤外線受光レベル検出器２６、通信部２７およびマイクロプロセッサ２８から構成されている。
【００１７】
赤外線受光部２１は、送信機１から送られてくる赤外線を受信して電気信号に変換する。この赤外線受光部２１で変換することにより得られた信号は、ＲＦ信号としてＲＦ増幅器２２に送られる。ＲＦ増幅器２２は、赤外線受光部２１から送られてくるＲＦ信号を高周波増幅して検波器２３に送る。
【００１８】
検波器２３は、ＲＦ増幅器２２から送られてくる増幅されたＲＦ信号を、マイクロプロセッサ２８から送られてくる副搬送波周波数信号に応じた周波数で発生される副搬送波で検波（周波数復調）する。この検波器２３で検波することにより得られた音声信号は、左チャンネル増幅器２４ａ、右チャンネル増幅器２４ｂおよび赤外線受光レベル検出器２６に送られる。
【００１９】
左チャンネル増幅器２４ａは、検波器２３から送られてくる音声信号に含まれる左チャンネル信号を増幅し、左チャンネルスピーカ２５ａに送る。左チャンネルスピーカ２５ａは、左チャンネル増幅器２４ａから送られてくる左チャンネル信号に基づき左チャンネルの音声を発生する。右チャンネル増幅器２４ｂは、検波器２３から送られてくる音声信号に含まれる右チャンネル信号を増幅し、右チャンネルスピーカ２５ｂに送る。右チャンネルスピーカ２５ｂは、右チャンネル増幅器２４ｂから送られてくる右チャンネル信号に基づき右チャンネルの音声を発生する。
【００２０】
赤外線受光レベル検出器２６は、副搬送波周波数が異なるステレオ４系統の各々について、検波器２３から送られてくる音声信号のレベルを検出し、赤外線受光レベル信号としてマイクロプロセッサ２８に送る。通信部２７は、この発明の受信側通信部に対応し、データ送信部２７ａおよびデータ受信部２７ｂから構成されている。データ送信部２７ａは、マイクロプロセッサ２８から送られてくる送信信号に応じて強度変調されたサブ赤外線を発生する。このデータ送信部２７ａで発生されたサブ赤外線は、送信機１に送信される。
【００２１】
データ受信部２７ｂは、送信機１から送られてくるサブ赤外線を受信して電気信号に変換する。このデータ受信部２７ｂで変換することにより得られた信号は、受信信号としてマイクロプロセッサ２８に送られる。マイクロプロセッサ２８は、この発明の受信機の制御部に対応し、受信機２の全体を制御する。このマイクロプロセッサ２８の詳細は後述する。
【００２２】
図２は、送信機１のマイクロプロセッサ１４の機能的な構成を示すブロック図である。このマイクロプロセッサ１４は、変調制御部１４１、受信状態取得要求部１４２、副搬送波周波数選択部１４３、副搬送波周波数設定部１４４および副搬送波周波数設定要求部１４５から構成されている。
【００２３】
変調制御部１４１は、外部からのトリガ信号に応じてＲＦ変換器１１の動作を制御する。具体的には、ＲＦ変換器１１に内蔵されている、副搬送波を発生するための発振器（図示しない）の発振動作の開始および停止を制御することによりＲＦ変換器１１における副搬送波の発生の開始および停止、換言すれば、音声信号の送信の開始および停止を制御する。なお、トリガ信号としては、電源投入時のパワーオンリセット信号や図示しない操作ボタンが操作されることにより発生された信号などを用いることができる。
【００２４】
受信状態取得要求部１４２は、変調制御部１４１の制御によってＲＦ変換器１１による副搬送波の発生が停止された場合に、受信状態情報の取得を要求する受信状態取得要求を通信部１３のデータ送信部１３ａに送る。これにより、データ送信部１３ａから受信状態取得要求が受信機２に送信される。ここで、受信状態情報は、ステレオ４系統の各々の赤外線受光レベルから構成されている。
【００２５】
副搬送波周波数選択部１４３は、受信状態取得要求部１４２によって送信された受信状態取得要求に応答して受信機２からデータ受信部１３ｂを介して送信されてくる受信状態情報を取得し、この取得した受信状態情報に含まれるステレオ４系統の赤外線受光レベルのうちの最も低い赤外線受光レベルに対応する副搬送波周波数を選択する。この副搬送波周波数選択部１４３によって選択された副搬送波周波数を表す情報は、副搬送波周波数設定部１４４および副搬送波周波数設定要求部１４５に送られる。
【００２６】
副搬送波周波数設定部１４４は、副搬送波周波数選択部１４３から送られてくる副搬送波周波数を表す情報をＲＦ変換器１１に設定する。これにより、ＲＦ変換器１１は、設定された副搬送波周波数を表す情報によって示される周波数の副搬送波を発生する。
【００２７】
副搬送波周波数設定要求部１４５は、副搬送波周波数選択部１４３から副搬送波周波数を表す情報が送られてきた場合に、この副搬送波周波数を表す情報を含む副搬送波周波数設定要求をデータ送信部１３ａに送る。これにより、データ送信部１３ａから副搬送波周波数設定要求が受信機２に送信される。
【００２８】
図３は、受信機２のマイクロプロセッサ２８の機能的な構成を示すブロック図である。このマイクロプロセッサ２８は、受信状態送信制御部２８１、副搬送波周波数設定部２８２および設定完了通知部２８３から構成されている。
【００２９】
受信状態送信制御部２８１は、送信機１からデータ受信部２７ｂを介して送信されてくる受信状態取得要求に応答して、赤外線受光レベル検出器２６から、異なる副搬送波周波数を有するステレオ４系統の副搬送波に対応する赤外線受光レベルを取得し、受信状態情報としてデータ送信部２７ａに送る。これにより、データ送信部２７ａから受信状態情報が送信機１に送信される。
【００３０】
副搬送波周波数設定部２８２は、受信状態送信制御部２８１により送信された受信状態情報に応答して送信機１からデータ受信部２７ｂを介して送信されてくる副搬送波周波数設定要求に含まれる副搬送波周波数を検波器２３に設定する。これにより、検波器２３は、設定された副搬送波周波数で検波を行う。また、副搬送波周波数設定部２８２は、副搬送波周波数の検波器２３への設定が完了すると、その旨を表す完了信号を設定完了通知部２８３に送る。
【００３１】
設定完了通知部２８３は、副搬送波周波数設定部２８２から送られてくる完了信号に応答して、設定完了通知をデータ送信部２７ａに送る。これにより、データ送信部２７ａから設定完了通知が送信機１に送信される。
【００３２】
次に、上記のように構成される、この発明の実施の形態１に係る赤外線伝送システムの動作を、図４に示す最適副搬送波周波数設定処理のフローチャートを参照しながら説明する。なお、図４のフローチャートに示す最適副搬送波周波数設定処理は、主として、送信機１のマイクロプロセッサ１４および受信機２のマイクロプロセッサ２８によって行われる。
【００３３】
送信機１では、まず、音声信号の送信が停止される（ステップＳＴ１１）。すなわち、変調制御部１４１は、リセット信号に応答して、ＲＦ変換器１１に内蔵されている、副搬送波を発生するための発振器の発振動作を停止させることによりＲＦ変換器１１における副搬送波の発生を停止させる。これにより、音声信号の送信が停止される。
【００３４】
次いで、受信状態取得要求が出力される（ステップＳＴ１２）。すなわち、受信状態取得要求部１４２は、変調制御部１４１の制御によってＲＦ変換器１１による副搬送波の発生が停止された場合に、受信状態取得要求を通信部１３のデータ送信部１３ａに送る。これにより、データ送信部１３ａから受信状態取得要求が受信機２に送信される。その後、マイクロプロセッサ１４は、受信状態取得要求に対する受信機２からの応答を待って待機する（ステップＳＴ１３）。
【００３５】
一方、受信機２では、マイクロプロセッサ２８は、受信状態取得要求の有無を調べながら待機している（ステップＳＴ２１）。この待機している状態で、送信機１から受信状態取得要求が送信されてくると、ステップＳＴ２２以下の受信状態情報を送信する処理が受信状態送信制御部２８１によって行われる。すなわち、まず、カウンタがゼロに設定される（ステップＳＴ２２）。次いで、副搬送波周波数の設定が行われる（ステップＳＴ２３）。ステレオ４系統に対応する４つの副搬送波周波数のうちの最初の副搬送波周波数が検波器２３に設定される。
【００３６】
次いで、赤外線受光レベルが取得される（ステップＳＴ２４）。すなわち、受信状態送信制御部２８１は、赤外線受光レベル検出器２６から赤外線受光レベルを取得し、図示しないメモリに格納する。次いで、カウンタがインクリメントされ（ステップＳＴ２５）、次いで、インクリメントの結果が「４」になったかどうか、つまりステレオ４系統の全てについて赤外線受光レベルの取得が終了したかどうかが調べられる（ステップＳＴ２６）。このステップＳＴ２７において、インクリメントの結果が「４」になっていないことが判断されると、シーケンスはステップＳＴ２３に戻り、次の副搬送波周波数の設定が行われる。以下、上述した処理が繰り返し実行される。
【００３７】
この繰り返し実行の途中で、ステップＳＴ２６において、インクリメントの結果が「４」になったことが判断されると、ステレオ４系統分の赤外線受光レベルの取得が完了したことが認識され、受信状態情報の送信が行われる（ステップＳＴ２７）。すなわち、受信状態送信制御部２８１は、メモリに格納されたステレオ４系統分の赤外線受光レベルを受信状態情報として、データ送信部２７ａに送る。これにより、データ送信部２７ａから受信状態情報が送信機１に送信される。その後、マイクロプロセッサ２８は、送信機１からの副搬送波周波数設定要求を待って待機する（ステップＳＴ２８）。
【００３８】
送信機１では、ステップＳＴ１３において、受信状態取得要求に対する応答を待って待機している状態で、受信機２から受信状態情報が送信されてくると、最低の赤外線受光レベルが得られた副搬送波周波数が選択される（ステップＳＴ１４）。すなわち、副搬送波周波数選択部１４３は、受信機２からデータ受信部１３ｂを介して送信されてくる受信状態情報を取得し、この取得した受信状態情報に含まれるステレオ４系統の赤外線受光レベルのうちの最も低い赤外線受光レベルに対応する副搬送波周波数を、最適な副搬送波周波数として選択する。この副搬送波周波数選択部１４３によって選択された副搬送波周波数を表す情報は、副搬送波周波数設定部１４４および副搬送波周波数設定要求部１４５に送られる。
【００３９】
次いで、副搬送波周波数設定が行われる（ステップＳＴ１５）。すなわち、副搬送波周波数設定部１４４は、副搬送波周波数選択部１４３から送られてくる副搬送波周波数を表す情報をＲＦ変換器１１に設定する。これにより、ＲＦ変換器１１は、設定された副搬送波周波数を表す情報によって示される周波数の副搬送波を発生する。
【００４０】
次いで、副搬送波周波数設定要求が出力される（ステップＳＴ１６）。すなわち、副搬送波周波数設定要求部１４５は、副搬送波周波数選択部１４３から副搬送波周波数を表す情報が送られてきた場合に、この副搬送波周波数を表す情報を含む副搬送波周波数設定要求をデータ送信部１３ａに送る。これにより、データ送信部１３ａから副搬送波周波数設定要求が受信機２に送信される。その後、マイクロプロセッサ１４は、副搬送波周波数設定要求に対する受信機２からの応答（設定完了通知）を待って待機する（ステップＳＴ１７）。
【００４１】
一方、受信機２では、ステップＳＴ２８において、副搬送波周波数設定要求を待って待機している状態で、送信機１から副搬送波周波数設定要求が送られてくると、副搬送波周波数設定が行われる（ステップＳＴ２９）。すなわち、送信機１からデータ受信部２７ｂを介して送信されてくる副搬送波周波数設定要求に含まれる副搬送波周波数を検波器２３に設定する。これにより、以後は、検波器２３は、設定された副搬送波周波数で検波を行う。また、副搬送波周波数設定部２８２は、副搬送波周波数の検波器２３への設定が完了すると、その旨を表す完了信号を設定完了通知部２８３に送る。
【００４２】
次いで、設定完了通知が行われる（ステップＳＴ３０）。すなわち、設定完了通知部２８３は、副搬送波周波数設定部２８２から送られてくる完了信号に応答して、設定完了通知をデータ送信部２７ａに送る。これにより、データ送信部２７ａから設定完了通知が送信機１に送信される。
【００４３】
送信機１では、ステップＳＴ１７において、設定完了通知を待って待機している状態で、送信機１から設定完了通知が送られてくると、音声信号の送信が開始される（ステップＳＴ１８）。すなわち、変調制御部１４１は、ＲＦ変換器１１に内蔵されている、副搬送波を発生するための発振器の発振動作を開始させることによりＲＦ変換器１１における副搬送波の発生を開始させる。これにより、音声信号の送信が開始される。
【００４４】
以上説明したように、この発明の実施の形態１に係る赤外線伝送システムによれば、受信機２が副搬送波周波数の受信状況を表す受信状態情報を送信機１に送信し、送信機はこの受信状態情報に基づき最適な副搬送波周波数を自己のＲＦ変換器１１に設定するとともに、受信機２の検波器２３に設定するように構成したので、他の機器等による妨害が少ない最適な副搬送波周波数を自動で設定することができる。その結果、操作性に優れた赤外線伝送システムを提供できる。
【００４５】
また、送信機１が受信機２に対して受信状態情報の取得を要求する際、送信機１からの音声信号の送信を停止するので、受信機２が検波する信号は、他の赤外線方式の送信機またはその他の外乱の影響を受けた信号のみであり、現在対象としている送信機１および受信機２からみた場合、すべてが不要な信号である。したがって、赤外線受光レベルが最も低い信号に対応する副搬送波周波数が最適な副搬送波周波数と判定し、この副搬送波周波数を用いることにより最適な受信状況を得ることができる。
【００４６】
実施の形態２．
この発明の実施の形態２に係る赤外線伝送システムは、使用中に受信状況が悪化した場合に副搬送波周波数を変更するようにしたものである。
【００４７】
図５は、この発明の実施の形態２に係る赤外線伝送システムで使用される送信機の構成を示すブロック図である。この送信機１は、実施の形態１に係る赤外線伝送システムで使用される送信機に音声レベル検出部１５が追加されて構成されている。以下では、実施の形態１と相違する部分を中心に説明する。
【００４８】
音声レベル検出部１５は、入力された音声信号のレベルを検出する。この音声レベル検出部１５で検出された音声信号のレベルは、音声レベル信号としてマイクロプロセッサ１４に送られる。
【００４９】
図６は、実施の形態２に係る赤外線伝送システムで使用される送信機１のマイクロプロセッサ１４の機能的な構成を示すブロック図である。このマイクロプロセッサ１４は、実施の形態１のそれに、受信状態記憶部１４６およびトリガ発生部１４７が追加されるとともに、変調制御部１４１の機能が追加されて構成されている。以下では、実施の形態１と相違する部分を中心に説明する。
【００５０】
変調制御部１４１は、外部からのトリガ信号に応じてＲＦ変換器１１における副搬送波の発生の開始および停止、つまり音声信号の送信の開始および停止を制御する他に、無音信号を送信する機能を備えている。
【００５１】
受信状態記憶部１４６は、変調制御部１４１からの制御信号によりＲＦ変換器１１において副搬送波が無音信号で変調されている状態で、受信状態取得要求部１４２からデータ送信部１３ａを介して受信機２に第２受信状態取得要求を送信し、この第２受信状態取得要求に応答して受信機２からデータ受信部１３ｂを介して送信されてくる受信状態情報を記憶する。この受信状態記憶部１４６に記憶されている内容は、トリガ発生部１４７において参照される。
【００５２】
トリガ発生部１４７は、変調制御部１４１からの制御信号によりＲＦ変換器１１において副搬送波が入力された音声信号で変調されている状態で、音声レベル検出部１５で検出された音声信号のレベルが所定値以下になった場合に、受信状態取得要求部１４２からデータ送信部１３ａを介して受信機２に第３受信状態取得要求を送信し、この３受信状態取得要求に応答して受信機２からデータ受信部１３ｂを介して送信されてくる受信状態情報に含まれる赤外線受光レベルが受信状態記憶部１４６に記憶されている受信状態情報に含まれる赤外線受光レベルより所定値以上小さい場合にトリガ信号を発生する。
【００５３】
次に、上記のように構成される、この発明の実施の形態２に係る赤外線伝送システムの動作を、図７に示すフローチャートを参照しながら説明する。なお、図７のフローチャートに示す処理は、主として、送信機１のマイクロプロセッサ１４および受信機２のマイクロプロセッサ２８によって行われる。
【００５４】
送信機１および受信機２では、まず、図４に示すフローチャートを参照しながら既に説明した最適副搬送波周波数設定処理が行われる（ステップＳＴ３１）。この最適副搬送波周波数設定処理が終了した時点では、送信機１および受信機２には最適な副搬送波周波数が設定されている。次いで、キャリブレーション処理が実行される（ステップＳＴ３２）。
【００５５】
キャリブレーション処理では、送信機１では、まず、無音信号の送信が行われる（ステップＳＴ４１）。すなわち、変調制御部１４１は、ＲＦ変換器１１に入力される音声信号を遮断する。これにより、ＲＦ変換器１１は、無音信号で副搬送波を変調するので、赤外線発光部１２からは無音信号が送信される。
【００５６】
次いで、第２受信状態取得要求が出力される（ステップＳＴ４２）。すなわち、受信状態取得要求部１４２は、変調制御部１４１の制御によって、ＲＦ変換器１１において無音信号で副搬送波を変調する処理が開始された場合に、第２受信状態取得要求を通信部１３のデータ送信部１３ａに送る。これにより、データ送信部１３ａから第２受信状態取得要求が受信機２に送信される。その後、マイクロプロセッサ１４は、第２受信状態取得要求に対する受信機２からの応答を待って待機する（ステップＳＴ４３）。
【００５７】
一方、受信機２では、マイクロプロセッサ２８は、キャリブレーション処理が開始されると、第２受信状態取得要求の有無を調べながら待機している（ステップＳＴ５１）。この待機している状態で、送信機１から第２受信状態取得要求が送信されてくると、次いで、赤外線受光レベルが取得される（ステップＳＴ５２）。すなわち、受信状態送信制御部２８１は、赤外線受光レベル検出器２６から赤外線受光レベルを取得する。次いで、赤外線受光レベルの送信が行われる（ステップＳＴ５３）。すなわち、受信状態送信制御部２８１は、ステップＳＴ５２で取得された赤外線受光レベルをデータ送信部２７ａに送る。これにより、データ送信部２７ａから赤外線受光レベルが送信機１に送信される。以上により、受信機２におけるキャリブレーション処理は終了する。
【００５８】
送信機１では、ステップＳＴ４３において、第２受信状態取得要求に対する応答を待って待機している状態で、受信機２から赤外線受光レベルが送信されてくると、その赤外線受光レベルが受信状態情報として受信状態記憶部１４６に格納される（ステップＳＴ４４）。以上により、送信機１におけるキャリブレーション処理は終了する。
【００５９】
キャリブレーション処理が終了すると、送信機１では、音声信号の送信が開始される（ステップＳＴ６１）。すなわち、変調制御部１４１は、ＲＦ変換器１１に入力される音声信号の遮断を解除する。これにより、ＲＦ変換器１１は、入力された音声信号で副搬送波を変調するので、赤外線発光部１２からは音声信号が送信される。
【００６０】
次いで、音声信号が検出されたかどうかが調べられる（ステップＳＴ６２）。すなわち、マイクロプロセッサ１４は、音声レベル検出部１５から音声レベル信号を受け取り、この音声レベル信号が所定値以下であるかどうか、つまり無音であるかどうかを調べる。このステップＳＴ６２において、音声信号が検出されたことが判断されると、このステップＳＴ６２を繰り返し実行しながら待機する。
【００６１】
一方、ステップＳＴ６２において、音声信号が検出されなかったことが判断されると、入力される音声信号が途切れたことが認識され、受信状況を監視する監視処理が行われる。この監視処理では、まず、第３受信状態取得要求が出力される（ステップＳＴ６３）。すなわち、受信状態取得要求部１４２は、第３受信状態取得要求を通信部１３のデータ送信部１３ａに送る。これにより、データ送信部１３ａから第３受信状態取得要求が受信機２に送信される。その後、マイクロプロセッサ１４は、第３受信状態取得要求に対する受信機２からの応答を待って待機する（ステップＳＴ６４）。
【００６２】
一方、受信機２では、キャリブレーション処理が終了すると、マイクロプロセッサ２８は、第３受信状態取得要求の有無を調べながら待機している（ステップＳＴ７１）。この待機している状態で、送信機１から第３受信状態取得要求が送信されてくると、次いで、赤外線受光レベルが取得される（ステップＳＴ７２）。すなわち、受信状態送信制御部２８１は、赤外線受光レベル検出器２６から赤外線受光レベルを取得する。
【００６３】
次いで、赤外線受光レベルの送信が行われる（ステップＳＴ７３）。すなわち、受信状態送信制御部２８１は、ステップＳＴ７２で取得された赤外線受光レベルをデータ送信部２７ａに送る。これにより、データ送信部２７ａから赤外線受光レベルが送信機１に送信される。その後、シーケンスは、ステップＳＴ７１に戻り、待機状態に入る。
【００６４】
送信機１では、ステップＳＴ６４において、第３受信状態取得要求に対する応答を待って待機している状態で、受信機２から赤外線受光レベルが送信されてくると、受信状況が悪化したかどうかが調べられる（ステップＳＴ６５）。すなわち、トリガ発生部１４７は、受信状態記憶部１４６に記憶されている受信状態情報に含まれる赤外線受光レベルと、受信機２から受信された赤外線受光レベルとを比較し、受信機２から受信された赤外線受光レベルが、受信状態記憶部１４６に記憶されている赤外線受光レベルより所定値以上小さくなった場合に受信状況が悪化したと判断する。
【００６５】
上記ステップＳＴ６５において、受信状況が悪化していないことが判断されると、シーケンスはステップＳＴ６２に戻り、監視処理が続行される。一方、ステップＳＴ６５において、受信状況が悪化したことが判断されると、トリガ発生が行われる（ステップＳＴ６６）。すなわち、トリガ発生部１４７は、トリガ信号を発生し、変調制御部１４１に送る。これにより、最適副搬送波周波数設定処理が再び起動され、その時点で最適な副搬送波周波数が送信機１および受信機２に設定される。
【００６６】
以上説明したように、この発明の実施の形態２に係る赤外線伝送システムによれば、当該赤外線伝送システムを使用中に受信状況が悪化すると、その時点で最適な副搬送波周波数に自動的に変更されるので、使い勝手が向上する。
【図面の簡単な説明】
【００６７】
【図１】この発明の実施の形態１に係る赤外線伝送システムの構成を示すブロック図である。
【図２】図１に示す送信機に含まれるマイクロプロセッサの機能的な構成を示すブロック図である。
【図３】図１に示す受信機に含まれるマイクロプロセッサの機能的な構成を示すブロック図である。
【図４】この発明の実施の形態１に係る赤外線伝送システムの動作を示すフローチャートである。
【図５】この発明の実施の形態２に係る赤外線伝送システムで使用される送信機の構成を示すブロック図である。
【図６】図５に示す送信機に含まれるマイクロプロセッサの機能的な構成を示すブロック図である。
【図７】この発明の実施の形態２に係る赤外線伝送システムの動作を示すフローチャートである。
【符号の説明】
【００６８】
１  送信機、２  受信機、１１  ＲＦ変換器（変換器）、１２  赤外線発光部、１３  通信部（送信側通信部）、１３ａ  データ送信部、１３ｂ  データ受信部、１４  マイクロプロセッサ（送信機の制御部）、１５  音声レベル検出部、２１  赤外線受光部、２２  ＲＦ増幅器、２３  検波器、２４ａ  左チャンネル増幅器、２４ｂ  右チャンネル増幅器、２５ａ  左チャンネルスピーカ、２５ｂ  右チャンネルスピーカ、２６  赤外線受光レベル検出器、２７  通信部（受信側通信部）、２７ａ  データ送信部、２７ｂ  データ受信部、２８  マイクロプロセッサ（受信機の制御部）、１４１  変調制御部、１４２  受信状態取得要求部、１４３  副搬送波周波数選択部、１４４  副搬送波周波数設定部、１４５  副搬送波周波数設定要求部、１４６  受信状態記憶部、１４７  トリガ発生部、２８１  受信状態送信制御部、２８２  副搬送波周波数設定部、２８３  設定完了通知部。
【図１】
2007194839.tif 000003
【図２】
2007194839.tif 000004
【図３】
2007194839.tif 000005
【図４】
2007194839.tif 000006
【図５】
2007194839.tif 000007
【図６】
2007194839.tif 000008
【図７】
2007194839.tif 000009